(57)【要約】【課題】原稿の重送検知にかかる時間やユーザーの手間を抑制し、原稿の重送を適切に判定する。【解決手段】原稿読取装置５は、原稿を読み取って画像データを取得する画像読取部６と、画像読取部６へ原稿を搬送する原稿搬送部７と、操作表示部８とを備える。原稿搬送部７は、画像読取部６へ搬送される原稿の重なりを検知する重なり検知部４１を備える。原稿読取装置５は、複数の原稿を原稿搬送部７が搬送して画像読取部６が画像データを取得する通常動作の間に、重なり検知部４１が重なり原稿を検知した場合、通常動作後に、重なり原稿が重送か否かのユーザー判断を操作表示部８の操作に応じて入力し、重送でない判断の場合、通常動作で得た画像データをそのまま適用し、重送である判断の場合、再開動作として重なり原稿を原稿搬送部７が搬送して画像読取部６が画像データを取得し、通常動作で得た画像データに換えて再開動作で得た画像データを適用する。【選択図】図２
2020108095.tif 000002
【特許請求の範囲】
【請求項１】
スキャン動作において原稿を読み取って画像データを取得する画像読取部と、
前記スキャン動作において前記画像読取部へ前記原稿を搬送する原稿搬送部と、
ユーザーの操作を受け付ける操作部と、を備え、
前記原稿搬送部は、前記画像読取部へ搬送される前記原稿の重なりを検知する重なり検知部を備え、
複数の前記原稿の前記スキャン動作において、通常動作として、複数の前記原稿について、前記原稿搬送部が搬送すると共に、前記画像読取部が前記画像データを取得し、
前記通常動作の間に、前記重なり検知部が重なりのある前記原稿が重なり原稿として検知された場合、前記通常動作の終了後、前記重なり原稿が重送か否かのユーザー判断を前記操作部の操作に応じて入力し、
前記重なり原稿が重送でないとの前記ユーザー判断が入力された場合、前記重なり原稿について前記通常動作で取得した前記画像データをそのまま適用し、
前記重なり原稿が重送であるとの前記ユーザー判断が入力された場合、再開動作として、前記重なり原稿に対応する２枚以上の原稿について、再度、前記原稿搬送部が搬送すると共に、前記画像読取部が前記画像データを取得し、前記重なり原稿について前記通常動作で取得した前記画像データに換えて、前記再開動作で取得した前記画像データを適用することを特徴とする原稿読取装置。
【請求項２】
前記通常動作の間に前記重なり原稿が２回以上検知された場合、２回以上検知された前記重なり原稿のそれぞれについて、前記ユーザー判断の入力及び前記再開動作を一連の動作として行うことを特徴とする請求項１に記載の原稿読取装置。
【請求項３】
前記通常動作の間に前記重なり原稿が２回以上検知された場合、２回以上検知された前記重なり原稿のそれぞれについて前記ユーザー判断の入力を行った後、２回以上検知された前記重なり原稿のそれぞれについて前記再開動作を行うことを特徴とする請求項１に記載の原稿読取装置。
【請求項４】
画像を形成する画像形成部と、
請求項１〜３の何れか１項に記載の原稿読取装置と、
を備えることを特徴とする画像形成装置。
【発明の詳細な説明】
【技術分野】
【０００１】
本発明は、原稿搬送及び画像読取等のスキャン動作を行う原稿読取装置及びこの原稿読取装置を備える画像形成装置に関する。
【背景技術】
【０００２】
複合機等の画像形成装置は、原稿搬送及び画像読取等のスキャン動作を行う原稿読取装置を備える。原稿読取装置は、原稿から画像を読み取るスキャナー等の画像読取部と、原稿を一枚ずつ画像読取部へ搬送するための原稿搬送部とを備える。
【０００３】
例えば、特許文献１のシート搬送装置（原稿搬送部）は、重送センサーにより原稿の重送が検知されると、原稿の搬送及び読取を中断し、搬送路中の原稿が原稿トレイに載置し直されると、重送検知を無効にしてジョブを再開させるか、重送検知有効にしたままジョブを再開させるかを利用者に選択させるための画面を表示する。
【先行技術文献】
【特許文献】
【０００４】
【特許文献１】特開２０１７−５２５９３号公報
【発明の概要】
【発明が解決しようとする課題】
【０００５】
従来、原稿読取装置では、原稿が重送されると、重なった状態で原稿の画像が読み取られ、画像が欠落することもあるので、原稿の重なりを重送として検知した場合に、原稿搬送及び画像読取等のスキャン動作を停止する。このとき、ユーザーは、例えば、重送を検知された原稿を確認して、その原稿から読み取られた画像を採用しつつ、後続の原稿のスキャン動作を継続するか、あるいは、重送を検知された原稿のスキャン動作を再度行うかを判断することになる。例えば、上記の原稿搬送部では、重送検知機能によって重送が検知された場合、再開する原稿について重送検知するかしないかの設定を可能にしている。
【０００６】
ところで、付箋を貼り付けたままで原稿のスキャン動作を行うことがあるが、従来の原稿読取装置は、原稿に貼られた付箋を重送として検知してしまう。そのため、付箋を貼った原稿が搬送される度に、スキャン動作が停止して、ユーザーが原稿を確認する必要がある。これに対して、上記の原稿搬送部では、付箋を貼っていて重送検知される原稿の場合は、再開する原稿については重送検知しないと設定することで、再度の重送検知を抑制している。しかし、複数の原稿に付箋が貼られている場合、付箋が貼られた原稿毎に重送検知して、スキャン動作が停止し、重送検知の設定をする必要が生じる。従って、重送検知する度に、ユーザー判断が必要になるので、ユーザーは、全ての原稿についてスキャン動作の開始から終了まで、原稿読取装置の近傍にいる必要がある。このように、スキャン動作に時間がかかる上、ユーザーの手間がかかってしまう。
【０００７】
そこで、本発明は上記事情を考慮し、原稿の重送検知にかかる時間やユーザーの手間を抑制し、原稿の重送を適切に判定することを目的とするものである。
【課題を解決するための手段】
【０００８】
上記した目的を達成するため、本発明の原稿読取装置は、スキャン動作において原稿を読み取って画像データを取得する画像読取部と、前記スキャン動作において前記画像読取部へ前記原稿を搬送する原稿搬送部と、ユーザーの操作を受け付ける操作部と、を備え、前記原稿搬送部は、前記画像読取部へ搬送される前記原稿の重なりを検知する重なり検知部を備え、複数の前記原稿の前記スキャン動作において、通常動作として、複数の前記原稿について、前記原稿搬送部が搬送すると共に、前記画像読取部が前記画像データを取得し、前記通常動作の間に、前記重なり検知部によって重なりのある前記原稿が重なり原稿として検知された場合、前記通常動作の終了後、前記重なり原稿が重送か否かのユーザー判断を前記操作部の操作に応じて入力し、前記重なり原稿が重送でないとの前記ユーザー判断が入力された場合、前記重なり原稿について前記通常動作で取得した前記画像データをそのまま適用し、前記重なり原稿が重送であるとの前記ユーザー判断が入力された場合、再開動作として、前記重なり原稿に対応する２枚以上の原稿について、再度、前記原稿搬送部が搬送すると共に、前記画像読取部が前記画像データを取得し、前記重なり原稿について前記通常動作で取得した前記画像データに換えて、前記再開動作で取得した前記画像データを適用することを特徴とする。
【０００９】
上記の原稿読取装置は、前記通常動作の間に前記重なり原稿が２回以上検知された場合、２回以上検知された前記重なり原稿のそれぞれについて、前記ユーザー判断の入力及び前記再開動作を一連の動作として行うとよい。
【００１０】
また、上記の原稿読取装置は、前記通常動作の間に前記重なり原稿が２回以上検知された場合、２回以上検知された前記重なり原稿のそれぞれについて前記ユーザー判断の入力を行った後、２回以上検知された前記重なり原稿のそれぞれについて前記再開動作を行ってもよい。
【００１１】
また、本発明の画像形成装置は、画像を形成する画像形成部と、上記の原稿読取装置と、を備えることを特徴とする。
【発明の効果】
【００１２】
本発明によれば、原稿の重送検知にかかる時間やユーザーの手間を抑制し、原稿の重送を適切に判定することができる。
【図面の簡単な説明】
【００１３】
【図１】本発明の実施形態に係る複合機を示す断面図である。
【図２】本発明の実施形態に係る複合機の原稿読取装置を示す断面図である。
【図３】本発明の実施形態に係る複合機の電気的な構成を示すブロック図である。
【図４】本発明の実施形態に係る複合機において、スキャン動作を示すフローチャートである。
【図５】本発明の実施形態に係る複合機において、スキャン動作に用いられる複数の原稿の例を示す概要図である。
【図６】本発明の実施形態に係る複合機において、スキャン動作に用いられる複数の原稿及びこれらの原稿から得られた画像データの例を示す概要図である。
【図７】本発明の実施形態に係る複合機において、通常動作で重送された原稿の画像データが、再開動作で得られた画像データに換えられる場合の、画像データの例を示す概要図である。
【図８】本発明の実施形態に係る複合機において、通常動作で得られた画像データと再開動作で得られた画像データとで、適切に構成された画像データの例を示す概要図である。
【図９】本発明の実施形態に係る複合機において、スキャン動作に用いられる複数の原稿の他の例を示す概要図である。
【図１０】本発明の実施形態に係る複合機において、スキャン動作に用いられる複数の原稿及びこれらの原稿から得られた画像データの他の例を示す概要図である。
【図１１】本発明の実施形態に係る複合機において、通常動作で重送された原稿の画像データが、再開動作で得られた画像データに換えられる場合の、画像データの他の例を示す概要図である。
【図１２】本発明の実施形態に係る複合機において、通常動作で得られた画像データと再開動作で得られた画像データとで、適切に構成された画像データの他の例を示す概要図である。
【発明を実施するための形態】
【００１４】
先ず、本発明の実施形態に係る複合機１（画像形成装置）の全体の構成について図１を参照しながら説明する。以下、説明の便宜上、図１における紙面手前側を複合機１の前側とする。各図に適宜付される矢印Ｌ、Ｒ、Ｕ、Ｌｏは、それぞれ複合機１の左側、右側、上側、下側を示す。
【００１５】
複合機１は、略箱型状の装置本体２を備える。装置本体２内の下部には画像形成に用いる用紙を収納する複数の給紙カセット３が設けられる。装置本体２の上部の胴内空間には、排紙トレイ４が設けられる。
【００１６】
装置本体２の上部には、原稿搬送及び画像読取等のスキャン動作を行う原稿読取装置５が設けられ、原稿読取装置５は、図１及び図２に示すように、原稿から画像を読み取る画像読取部６と、画像読取部６へ原稿を搬送する原稿搬送部７とを備える。画像読取部６及び原稿搬送部７において、主に左右方向が原稿の搬送方向であり、以下の説明では、この搬送方向を原稿の長さ方向とし、搬送方向に直交する方向を原稿の幅方向とする。画像読取部６及び原稿搬送部７の詳細は後述する。
【００１７】
更に、装置本体２の上部には、操作表示部８（操作部）が正面側に取り付けられる。操作表示部８は、例えば、テンキー、スタートキー、システムメニューキー、送信キー、コピーキー等の操作キー（操作部）と、タッチパネル等の表示器とを備え、ユーザーからの操作入力を受け付ける。
【００１８】
装置本体２の中央部には、像担持体としての中間転写ベルト１０が複数のローラー間に架設される。中間転写ベルト１０の下側には、画像を形成する４つの画像形成部１１がトナーの色（例えば、イエロー、マゼンタ、シアン、ブラックの４色）毎に設けられる。４つの画像形成部１１の下方には、露光部１２が設けられる。中間転写ベルト１０の右端には、二次転写部１３が設けられ、中間転写ベルト１０の左端には、中間転写ベルト１０を清掃するクリーニングユニット１４が設けられる。二次転写部１３は、中間転写ベルト１０の右端側の一部と二次転写ローラーとで構成される。
【００１９】
各画像形成部１１には、像担持体としての感光体ドラムが回転可能に設けられ、感光体ドラムの周囲には、帯電部と、現像部と、一次転写部と、除電部と、クリーニング部とが、電子写真のプロセス順に配置される。現像部の上方には、各画像形成部１１と対応するトナーコンテナが、トナーの色（例えば、イエロー、マゼンタ、シアン、ブラックの４色）毎に設けられ、各トナーコンテナは、各色のトナーを収容する。
【００２０】
装置本体２の右部には、画像形成に用いる用紙の搬送経路１５が設けられる。搬送経路１５の上流部には、複数の給紙部１６が複数の給紙カセット３毎に設けられる。搬送経路１５の中流部には、上記の二次転写部１３が設けられる。搬送経路１５の下流部には、定着部１７が設けられ、搬送経路１５の下流端には排紙部１８が設けられる。
【００２１】
次に、複合機１の画像形成動作について説明する。複合機１では、画像読取部６や外部のコンピューター等から画像データが入力される。各画像形成部１１では、感光体ドラムが、帯電部によって帯電された後、露光部１２によって画像データに基づいて露光されることで、感光体ドラム上に静電潜像が形成される。感光体ドラム上の静電潜像は、現像部によって各色のトナー像に現像される。感光体ドラム上のトナー像は、一次転写部によって中間転写ベルト１０の表面に一次転写される。以上の動作を４つの画像形成部１１が順次行うことによって、中間転写ベルト１０上にフルカラーのトナー像（カラートナー像）が形成される。カラートナー像は、中間転写ベルト１０の回転によって、所定の二次転写タイミングで二次転写部１３へ供給される。
【００２２】
他方、給紙カセット３に収納された用紙は、給紙部１６によって取り出されて搬送経路１５上を搬送される。そして、搬送経路１５上の用紙は、上記の所定の二次転写タイミングで二次転写部１３へ搬送される。二次転写部１３では、中間転写ベルト１０上のカラートナー像が用紙に二次転写される。カラートナー像を二次転写された用紙は、搬送経路１５を下流側へ搬送されて、定着部１７によってカラートナー像が用紙に定着された後、排紙部１８から排紙トレイ４へ排出される。
【００２３】
次に、画像読取部６について説明する。画像読取部６は、装置本体２の胴内空間の上方に配置され、図２に示すように、装置本体２の上面に、原稿台となるプラテンガラス２０と読取スリット２１とを備える。読取スリット２１は、左側に設けられ、プラテンガラス２０は、読取スリット２１の右側に設けられる。また、画像読取部６は、光学走査ユニット２２と、反射ユニット２３と、集光レンズ２４と、ＣＣＤ等の撮像部２５とを備える。
【００２４】
光学走査ユニット２２は、プラテンガラス２０や読取スリット２１の上方の原稿に向かって光を照射する光源２６と、原稿で反射した光を反射ユニット２３に向ける反射ミラー２７とを有する。反射ユニット２３は、複数の反射ミラー２８を有する。光学走査ユニット２２は、主走査方向（前後方向）に長形に形成され、副走査方向（左右方向）に移動可能に設けられる。反射ユニット２３は、原稿から集光レンズ２４までの光路長が常に一定となるように、光学走査ユニット２２の移動に応じて移動するように設けられる。集光レンズ２４及び撮像部２５は、右側に固定される。
【００２５】
画像読取部６において、プラテンガラス２０上に載置された原稿の画像を読み取る場合には、光学走査ユニット２２は、左側から右方向（副走査方向）へ移動して読取位置をずらしながら原稿から画像を読み取る。このとき、光学走査ユニット２２は、プラテンガラス２０上の原稿に向かって、光源２６によって光を照射し、原稿からの反射光を反射ユニット２３及び集光レンズ２４を介して撮像部２５に入射させる。撮像部２５は、原稿からの反射光に基づく光電変換を行うことで原稿の画像を撮像する。そして、画像読取部６は、プラテンガラス２０上に載置された原稿を先端から終端まで走査（スキャン）することで画像データを生成する。
【００２６】
また、画像読取部６において、原稿搬送部７から搬送される原稿の画像を読み取る場合には（図４のステップＳ１）、光学走査ユニット２２は、読取スリット２１に対応する位置を読取位置として固定して原稿から画像を読み取る（図４のステップＳ４）。このとき、光学走査ユニット２２は、読取スリット２１上の原稿に向かって、光源２６によって光を照射し、原稿からの反射光を反射ユニット２３及び集光レンズ２４を介して撮像部２５に入射させる。撮像部２５は、原稿からの反射光に基づく光電変換を行うことで原稿の画像を撮像する。そして、画像読取部６は、読取スリット２１上を通過する原稿を先端から終端まで走査（スキャン）することで画像データを生成する。
【００２７】
なお、画像読取部６による画像読取では、原稿搬送部７で原稿（付箋が貼られた原稿を含む）が正常に搬送された場合、その原稿に対応した画像データが生成されるところ、２枚以上の原稿が重送された場合、重なった状態の２枚以上の原稿に対応した画像データが生成され、あるいは、最前又は最後の原稿に対応した画像データが生成される。
【００２８】
画像読取部６は、原稿毎に生成した画像データを複合機１の制御部５０（図３参照）へ送信して記憶部５１に記憶する。複合機１や画像読取部６の画像読取の設定条件として、モノクロ画像読取やカラー画像読取が設定されるが、画像読取部６は、カラー画像を読み取って色データ（ＲＧＢデータ）を取得し、モノクロ画像はカラー画像の二値化処理等によって生成される。
【００２９】
次に、原稿搬送部７について説明する。原稿搬送部７は、画像読取部６の上方に配置され、原稿を搬送する機能に加えて、画像読取部６のプラテンガラス２０（装置本体２の上面）を覆うカバー部材として開閉可能に取り付けられる。原稿搬送部７は、図２に示すように、画像読取前の原稿が載置される供給トレイ３０と、画像読取後の原稿が排出される排出トレイ３１と、供給トレイ３０上の原稿を、読取スリット２１に対応する読取位置を経由して排出トレイ３１に送り出す搬送機構３２とを備える。搬送機構３２は、読取スリット２１に対応して左側に設けられ、供給トレイ３０は、搬送機構３２の上部から右方に延設され、排出トレイ３１は、搬送機構３２の下部から右方に延設される。
【００３０】
供給トレイ３０は、その右端から搬送機構３２に向かって僅かに下方に傾斜して形成される。供給トレイ３０の上面は、複数の原稿を載置可能な載置面であり、載置面には、原稿の幅方向の位置を規制する一対のガイドが、幅方向にスライド可能に設けられる。
【００３１】
排出トレイ３１は、装置本体２の上面を覆う原稿搬送部７の基部の上面の一部に形成され、原稿搬送部７の基部は、装置本体２と同径に形成される。
【００３２】
搬送機構３２は、カバー３３によって囲われていて、カバー３３の右面上部には、供給トレイ３０に対応する位置に開口した供給口３４が形成され、カバー３３の右面下部には、排出トレイ３１に対応する位置に開口した排出口３５が形成される。搬送機構３２は、カバー３３の内部に搬送路３６を有し、搬送路３６は、供給口３４から左方に延びて、左側で下方に湾曲し、更に右方に折り返して、読取スリット２１に対応する読取位置を経由し、排出口３５まで延びるように形成される。搬送機構３２は、搬送路３６に沿って、供給ローラー３７と、複数の搬送ローラー３８と、排出ローラー３９と、原稿検知部４０と、重なり検知部４１とを備える。
【００３３】
供給ローラー３７は、供給口３４の近傍で回転可能に設けられ、回転することで供給トレイ３０上の原稿を一枚ずつ搬送路３６へ供給する。排出ローラー３９は、排出口３５の近傍で回転可能に設けられ、回転することで搬送路３６から原稿を排出トレイ３１へ排出する。複数の搬送ローラー３８は、搬送路３６において供給ローラー３７と排出ローラー３９との間で、それぞれ間隔を空けて回転可能に設けられる。供給ローラー３７、複数の搬送ローラー３８及び排出ローラー３９は、制御部５０（図３参照）によって制御される駆動部（図示せず）から伝達される回転駆動力によって回転駆動する。
【００３４】
原稿検知部４０は、搬送路３６を搬送される原稿を検知するもので、例えば、発光部と受光部とからなる光センサーで構成される。原稿検知部４０は、検知結果を示す検知信号を出力し、例えば、原稿を検知している場合にはオンの信号を、原稿を検知していない場合にはオフの信号を出力する。原稿検知部４０は、搬送路３６に沿った何れかの位置に設けられ、例えば、搬送路３６において異なる搬送位置でそれぞれ原稿を検知するように、それぞれの搬送位置に複数の原稿検知部４０が配置されてよい。
【００３５】
原稿検知部４０は、原稿搬送部７が原稿の搬送を開始した後（図４のステップＳ１）、原稿の検知を開始し、原稿の先端から終端までを検知する。例えば、原稿検知部４０は、搬送路３６の搬送方向において読取スリット２１に対応する読取位置より上流側に配置されて、この読取位置に進入する原稿の先端を検知することで、読取位置への原稿の進入タイミング、即ち、読取開始タイミングを取得する。また、原稿検知部４０は、搬送路３６の搬送方向において読取スリット２１に対応する読取位置より下流側に配置されて、この読取位置から退出する原稿の終端を検知することで、読取位置からの原稿の退出タイミング、即ち、読取終了タイミングを取得する。
【００３６】
重なり検知部４１は、搬送路３６において供給ローラー３７と読取スリット２１に対応する読取位置との間の所定の位置に設けられる。重なり検知部４１は、搬送路３６を搬送される原稿の重なりを検知するもので、例えば、超音波センサー等で構成されてよい。重なり検知部４１は、数枚の原稿同士の重なりや、原稿とその原稿に貼り付けた付箋との重なりを検知し、その検知結果を示す検知信号を出力し、例えば、原稿の重なりを検知している場合にはオンの信号を、原稿の重なりを検知していない場合にはオフの信号を出力する。なお、幅方向に亘って原稿の重なりを検知できるように、複数の重なり検知部４１が、幅方向においてそれぞれ間隔を空けて配置されてよい。
【００３７】
重なり検知部４１は、搬送方向において所定の検知位置で原稿の重なりを検知するように配置され、例えば、その検知位置が、読取位置より上流側の原稿検知部４０の検知位置と同じになるように設けられる。そして、重なり検知部４１は、原稿搬送部７が原稿の搬送を開始した後（図４のステップＳ１）、この原稿検知部４０が原稿の先端を検知してから終端を検知するまで、原稿の重なりの検知を行う（図４のステップＳ２）。
【００３８】
次に、上記の複合機１の電気的な構成について図３を参照しながら説明する。複合機１は、ＣＰＵ等からなる制御部５０と、ＲＯＭやＲＡＭ等からなる記憶部５１とを装置本体２の内部に備える。
【００３９】
制御部５０は、記憶部５１に格納された制御プログラムや制御用データに基づいて、制御部５０に接続された各部を制御する。制御部５０は、画像読取部６、原稿搬送部７、操作表示部８、画像形成部１１及び露光部１２等の複合機１の各部に接続され、例えば、原稿搬送部７による原稿搬送や画像読取部６による画像読取等のスキャン動作を制御する。また、制御部５０は、記憶部５１に記憶されるプログラムを実行することにより重送判定部５２として機能する。重送判定部５２による重送判定は、スキャン動作に含まれる。
【００４０】
図４は、スキャン動作を示すフローチャートを示す。１回のジョブのスキャン動作では、原稿搬送部７の供給トレイ３０に載置された１枚以上の原稿（複数の原稿）について、通常動作として、原稿搬送部７による原稿搬送（図４のステップＳ１）や画像読取部６による画像読取（図４のステップＳ４）を自動的に行う。また、スキャン動作では、通常動作において重送判定部５２で重送と判定されると共にユーザーによって重送と判断された原稿について、再開動作として、原稿搬送部７による原稿搬送や画像読取部６による画像読取を再度行う（図４のステップＳ１０）。
【００４１】
通常動作では、原稿の搬送順に、画像読取部６で画像データが生成されて記憶部５１に記憶され、換言すれば、搬送順に基づいて記憶部５１から画像データを取得可能になる。原稿搬送部７は、通常動作の開始から終了までの間に、原稿を搬送する供給ローラー３７や排出ローラー３９の駆動や、搬送される原稿の原稿検知部４０による検知を監視することで、原稿の搬送順を把握することができる。
【００４２】
スキャン動作で、全ての原稿の画像読取が終了すると、各原稿の画像データをまとめた１つの画像データファイルが生成される。例えば、１枚の原稿を１ページ分の画像データとする場合、原稿の枚数に相当するページ数の画像データファイルが生成される。
【００４３】
次に、重送判定部５２について説明する。重送判定部５２は、重なり検知部４１の検知位置における原稿の通過を、読取位置より上流側の原稿検知部４０の検知信号に基づいて把握する。重送判定部５２は、原稿の先端が検知位置を通過してからの経過時間を計測し、この経過時間に基づいて、搬送方向（長さ方向）において原稿の先端から検知位置までの距離を算出し、即ち、原稿上で検知位置に対応する位置情報を算出する。
【００４４】
また、重送判定部５２は、重なり検知部４１の検知信号に基づいて原稿の重なりを把握し、重なりが検知された場合（図４のステップＳ２：ＹＥＳ）、その重なりのある原稿（重なり原稿）の重なり原稿情報を記憶部５１に記憶する（図４のステップＳ３）。なお、１回のジョブ（通常動作）において、重なり原稿が２回以上検知された場合には、それぞれの重なり原稿毎に重なり原稿情報が記憶部５１に記憶される。
【００４５】
例えば、重なり原稿情報には、重なり原稿の搬送順（例えば、１番目、２番目等）が含まれる。例えば、複数の原稿の通常動作において、２枚目及び３枚目の原稿が重送された場合、２枚目及び３枚目の原稿が重なり原稿に相当し、重なり原稿の搬送順は２番目になり、重なり原稿に後続する４枚目の原稿の搬送順は３番目になる。
【００４６】
また、重なり原稿情報には、重なりの位置情報（幅方向及び長さ方向の位置）が含まれる。なお、長さ方向の位置情報は、上記のように算出され、幅方向の位置情報は、幅方向に並べて配置された複数の重なり検知部４１の内、何れの重なり検知部４１で重なりを検知したかに応じて把握する。重なりが長さ方向や幅方向に連続して検知される場合には、重送判定部５２は、連続する複数の重なりを一つの重なりとして判定してよい。
【００４７】
ところで、通常動作では、原稿の重なりの検知に拘らず、供給トレイ３０に載置された全ての原稿について、原稿搬送部７による原稿搬送や画像読取部６による画像読取を行って各原稿の画像データを生成する（図４のステップＳ１、Ｓ４）。そして、通常動作が終了した後（図４のステップＳ５：ＮＯ）、重送判定部５２は、通常動作で重なり原稿が検知されていた場合（図４のステップＳ６：ＹＥＳ）、重なり原稿が重送か否かのユーザー判断を操作表示部８の操作に応じて入力する。
【００４８】
例えば、重送判定部５２は、重なり原稿情報が記憶部５１に記憶されていれば（図４のステップＳ６：ＹＥＳ）、通常動作で重なり原稿が検知されていたと判定し、重なり原稿情報を記憶部５１から読み出す。重送判定部５２は、重なり原稿情報に基づいて、原稿の重送判定に対するユーザーの承認又は否認をユーザー判断として問い合わせる問合せ画面を操作表示部８に表示させる（図４のステップＳ７）。問合せ画面では、ユーザー判断を入力可能な入力キー等が表示される。
【００４９】
問合せ画面では、重なり原稿から取得した画像データをプレビューとして表示してもよい。例えば、重送判定部５２は、重なり原稿情報に基づいて、対応する重なり原稿の搬送順を取得し、重なり原稿の搬送順に基づいて、重なり原稿の画像データを記憶部５１から読み出す。また、問合せ画面では、必要に応じて、重なり原稿に後続する原稿（後続原稿）から取得した画像データをプレビューとして表示してもよい。このとき、重なり原稿の搬送順に基づいて、後続原稿の搬送順を把握できるので、重送判定部５２は、後続原稿の搬送順に基づいて、後続原稿の画像データを記憶部５１から読み出す。ユーザーは、重なり原稿の画像データだけでなく、後続原稿の画像データを参照することで、重なり原稿が重送か否かをより適切に判断することが可能となる。なお、重なり原稿の画像データと後続原稿の画像データとは、問合せ画面において、同時に表示してもよく、あるいは、ユーザーの操作に応じて切り換えて表示してもよい。
【００５０】
操作表示部８の問合せ画面において、重なり原稿が重送でないとユーザーに判断されて重送判定の否認が選択された場合（図４のステップＳ８：ＮＯ）、重なり原稿の画像読取をやり直す必要がないので、通常動作時の画像データがそのままスキャン動作結果に適用される（図４のステップＳ９）。例えば、付箋による重なりであった場合には、ユーザーは重送でないと判断するので、付箋が貼られた状態の原稿の画像データが適用される。
【００５１】
また、操作表示部８の問合せ画面において、重なり原稿が重送であるとユーザーに判断されて重送判定の承認が選択された場合（図４のステップＳ８：ＹＥＳ）、重なり原稿の画像読取をやり直す再開動作へ移行する（図４のステップＳ１０）。
【００５２】
再開動作では、重送判定部５２は、例えば、操作表示部８の問合せ画面によって、重なり原稿（重送と判定された２枚以上の原稿）の供給トレイ３０への載置をユーザーに指示する（促す）。供給トレイ３０に重なり原稿が載置されると、原稿読取装置５は、原稿搬送部７による原稿搬送や画像読取部６による画像読取を実行可能になる。ここで、操作表示部８のスタートキーが操作されると、原稿読取装置５は、重なり原稿の搬送及び画像読取を開始する。なお、重送判定部５２は、重なり原稿の搬送及び画像読取の開始を操作するための再開動作キーを問合せ画面に表示してもよい。そして、再開動作において、重なり原稿の搬送及び画像読取が終了すると、重送判定部５２は、その重なり原稿について、通常動作で取得した画像データに換えて、再開動作で取得した画像データをスキャン動作結果に適用する（図４のステップＳ１１）。
【００５３】
なお、１回のジョブ（通常動作）において、重なり原稿が２回以上検知されている場合には、重送判定部５２は、上記のようなユーザー判断の入力及び再開動作を一連の動作として、それぞれの重なり原稿毎に行う。
【００５４】
本実施形態によれば、上述のように、原稿読取装置５は、スキャン動作において原稿を読み取って画像データを取得する画像読取部６と、スキャン動作において画像読取部６へ原稿を搬送する原稿搬送部７と、ユーザーの操作を受け付ける操作表示部８（操作部）とを備える。原稿搬送部７は、画像読取部６へ搬送される原稿の重なりを検知する重なり検知部４１を備える。原稿読取装置５は、複数の原稿のスキャン動作において、通常動作として、複数の原稿について、原稿搬送部７が搬送すると共に、画像読取部６が画像データを取得する。また、原稿読取装置５は、通常動作の間に、重なり検知部４１によって重なりのある原稿が重なり原稿として検知された場合、通常動作の終了後、重なり原稿が重送か否かのユーザー判断を操作表示部８の操作に応じて入力する。そして、原稿読取装置５は、重なり原稿が重送でないとのユーザー判断が入力された場合、重なり原稿について通常動作で取得した画像データをそのまま適用する。一方、原稿読取装置５は、重なり原稿が重送であるとのユーザー判断が入力された場合、再開動作として、重なり原稿に対応する２枚以上の原稿について、再度、原稿搬送部７が搬送すると共に、画像読取部６が画像データを取得し、重なり原稿について通常動作で取得した画像データに換えて、再開動作で取得した画像データを適用する。
【００５５】
これにより、重なり検知部４１が原稿の重なりを検知しても、スキャン動作を停止することなく、全ての原稿の搬送及び画像読取を一通り行った後で、重なり原稿が重送か否かの判断が行われる。そのため、原稿の重なりが検知される度に、ユーザーが判断や操作をする必要がなく、ユーザーは、スキャン動作の開始から終了まで、原稿読取装置５の近傍にいる必要がない。また、原稿に付箋等が貼られている場合、通常動作で重なり検知部４１が原稿の重なりを検知しても、ユーザーが重送でないと判断すれば、その重なり原稿のやり直しとなる再開動作をする必要がない。そのため、重送判定をユーザーの意図に合わせることができ、原稿に貼られた付箋を重送と誤検知することが抑制される。このように、原稿の重送検知にかかる時間やユーザーの手間を抑制し、原稿の重送を適切に判定することが可能となる。
【００５６】
また、本実施形態によれば、原稿読取装置５は、通常動作の間に重なり原稿が２回以上検知された場合、２回以上検知された重なり原稿のそれぞれについて、ユーザー判断の入力及び再開動作を一連の動作として行う。
【００５７】
これにより、検知した重なり原稿毎に、ユーザーの便宜に応じて、重送の確認と重なり原稿の画像読取のやり直しとを一連の動作として行うことができる。そのため、付箋を貼りつけた原稿や、重送された原稿が混在している場合でも、全ての原稿について適切な画像データを生成して、誤りのない画像データファイルを生成することができる。
【００５８】
例えば、原稿読取装置５において、図５に示すような全５枚の原稿のスキャン動作を１回のジョブで行う例を以下に説明する。この例では、２枚目と３枚目の原稿に重送が生じ、５枚目の原稿に付箋が貼られていることとする。
【００５９】
先ず、原稿読取装置５では、５枚の原稿の通常動作が行われる。図６に示すように、１枚目の原稿は、重送が生じずに搬送及び画像読取が成功して、１枚目の原稿に対応する画像データが記憶部５１に記憶される。なお、１枚目の原稿の搬送順は１番目である。
【００６０】
２枚目の原稿は、３枚目の原稿と共に重送され、重なり検知部４１で重なりが検知されるが、スキャン動作を停止することなく、２枚目と３枚目の原稿が重なった重なり原稿の画像読取が行われ、重なり原稿の画像データが記憶部５１に記憶される。このとき、２枚目と３枚目の原稿を重なり原稿として、搬送順を２番目とする重なり原稿情報が記憶部５１に記憶される。
【００６１】
３枚目の原稿は既に２枚目の原稿と共に搬送されているので、次に、４枚目の原稿が搬送される。４枚目の原稿は、重送が生じずに搬送及び画像読取が成功して、４枚目の原稿に対応する画像データが記憶部５１に記憶される。なお、４枚目の原稿の搬送順は３番目である。
【００６２】
５枚目の原稿は、重送が生じずに搬送されるが、付箋が貼られているので重なり検知部４１で重なりが検知されるところ、スキャン動作を停止することなく、５枚目の原稿の画像読取が行われ、５枚目の原稿に対応する画像データが記憶部５１に記憶される。このとき、５枚目の原稿を重なり原稿として、搬送順を４番目とする重なり原稿情報が記憶部５１に記憶される。
【００６３】
上記のように５枚の原稿の通常動作が終了すると、重送判定部５２は、記憶部５１に重なり原稿情報が記憶されていることから、通常動作で重なり原稿が検知されていたと判定する。
【００６４】
重送判定部５２は、先ず、２枚目と３枚目の重なり原稿の重なり原稿情報を記憶部５１から読み出し、重なり原稿情報に基づいて重なり原稿の搬送順が２番目であることを把握して、搬送順が２番目の画像データを記憶部５１から読み出す。そして、重送判定部５２は、重なり原稿の画像データをプレビューする問合せ画面を操作表示部８に表示する。ユーザーは、問合せ画面を参照して、２枚目と３枚目の原稿が重送されていることを確認すると、問合せ画面を介して、重送判定の承認をユーザー判断として入力する。
【００６５】
重送判定部５２は、このユーザー判断に応じて、重なり原稿の画像読取をやり直す再開動作へ移行する。ここで、重送判定部５２は、重なり原稿（２枚目と３枚目の原稿）の供給トレイ３０への載置を、問合せ画面を介して指示する。ユーザーが供給トレイ３０に重なり原稿を載置して、操作表示部８の操作によって重なり原稿の再開動作を指示すると、重なり原稿の搬送及び画像読取が行われ、２枚目の原稿の画像データと３枚目の原稿の画像データが生成される。
【００６６】
重送判定部５２は、図７に示すように、この再開動作で生成された２枚目の原稿の画像データと３枚目の原稿の画像データを、記憶部５１における２番目の画像データに換えて（１番目と３番目の画像データの間に）差し込む。これにより、図８に示すように、記憶部５１において、２枚目の原稿の画像データは２番目に記憶され、３枚目の原稿の画像データは３番目に記憶される。また、通常動作で３番目に記憶されていた４枚目の原稿の画像データは４番目に記憶し直され、同様にして、５枚目以降の原稿の画像データは順次ずれて記憶し直される。
【００６７】
次に、重送判定部５２は、５枚目の原稿の重なり原稿情報を記憶部５１から読み出し、重なり原稿情報に基づいて原稿の搬送順が５番目であることを把握して、搬送順が５番目の画像データを記憶部５１から読み出す。そして、重送判定部５２は、５番目の画像データをプレビューする問合せ画面を操作表示部８に表示する。ユーザーは、問合せ画面を参照して、５枚目の原稿に付箋が貼られていることを確認すると、問合せ画面を介して、重送判定の否認をユーザー判断として入力する。
【００６８】
重送判定部５２は、このユーザー判断に応じて、５枚目の原稿の再開動作は行わずに、５番目の画像データをそのまま有効に適用する。
【００６９】
なお、上記した実施形態では、原稿読取装置５が、重なり原稿毎に、ユーザー判断の入力及び再開動作を一連の動作として行う例を説明したが、本発明はこの例に限定されない。例えば、他の実施形態では、原稿読取装置５は、通常動作の間に重なり原稿が２回以上検知された場合、重なり原稿毎にユーザー判断の入力及び再開動作を一連の動作として行う代わりに、２回以上検知された重なり原稿のそれぞれについてユーザー判断の入力を行った後、２回以上検知された重なり原稿のそれぞれについて再開動作を行う。
【００７０】
これにより、検知した重なり原稿毎に、ユーザーの便宜に応じて、重送の確認の動作と、重なり原稿の画像読取のやり直しの動作とを、区別して行うことができる。
【００７１】
例えば、他の実施形態の原稿読取装置５において、図９に示すような全６枚の原稿のスキャン動作を１回のジョブで行う例を以下に説明する。この例では、２枚目と３枚目の原稿に重送が生じ、５枚目と６枚目の原稿に重送が生じることとする。
【００７２】
先ず、他の実施形態の原稿読取装置５では、６枚の原稿の通常動作が上記した実施形態と同様に行われる。図１０に示すように、１枚目の原稿は、上記した例と同様に、搬送及び画像読取が成功して、１枚目の原稿の画像データが記憶部５１に記憶される。なお、１枚目の原稿の搬送順は１番目である。
【００７３】
２枚目の原稿は、上記した例と同様に、３枚目の原稿と共に重送され、重なり検知部４１で重なりが検知されるが、２枚目と３枚目の重なり原稿の画像読取が行われ、重なり原稿の画像データが記憶部５１に記憶される。このとき、搬送順を２番目とする重なり原稿情報が記憶部５１に記憶される。
【００７４】
４枚目の原稿は、上記した例と同様に、搬送及び画像読取が成功して、４枚目の原稿の画像データが記憶部５１に記憶される。なお、４枚目の原稿の搬送順は３番目である。
【００７５】
５枚目の原稿は、６枚目の原稿と共に重送され、重なり検知部４１で重なりが検知されるが、スキャン動作を停止することなく、５枚目と６枚目の原稿が重なった重なり原稿の画像読取が行われ、重なり原稿の画像データが記憶部５１に記憶される。このとき、５枚目と６枚目の原稿を重なり原稿として、搬送順を４番目とする重なり原稿情報が記憶部５１に記憶される。
【００７６】
上記のように６枚の原稿の通常動作が終了すると、重送判定部５２は、記憶部５１に重なり原稿情報が記憶されていることから、通常動作で重なり原稿が検知されていたと判定する。この例では、２枚目と３枚目の原稿が重なった重なり原稿と、５枚目と６枚目の原稿が重なった重なり原稿とが、計２回検知されている。
【００７７】
次に、他の実施形態の原稿読取装置５では、２回以上検知された重なり原稿のそれぞれについてユーザー判断の入力を行った後、２回以上検知された重なり原稿のそれぞれについて再開動作を行う。重送判定部５２は、先ず、上記した例と同様に、２枚目と３枚目の重なり原稿の重なり原稿情報を記憶部５１から読み出し、重なり原稿情報に基づいて重なり原稿の搬送順が２番目であることを把握して、搬送順が２番目の画像データを記憶部５１から読み出す。そして、重送判定部５２は、２枚目と３枚目の重なり原稿の画像データをプレビューする問合せ画面を操作表示部８に表示する。ユーザーは、問合せ画面を参照して、２枚目と３枚目の原稿の重送を確認し、問合せ画面を介して（操作表示部８を操作して）、重送判定の承認のユーザー判断を入力する。重送判定部５２は、入力されたユーザー判断を、２枚目と３枚目の重なり原稿に関連付けて記憶部５１に記憶し、例えば、２枚目と３枚目の重なり原稿の重なり原稿情報として記憶する。
【００７８】
重送判定部５２は、次に、５枚目と６枚目の重なり原稿の重なり原稿情報を記憶部５１から読み出し、重なり原稿情報に基づいて重なり原稿の搬送順が４番目であることを把握して、搬送順が４番目の画像データを記憶部５１から読み出す。そして、重送判定部５２は、５枚目と６枚目の重なり原稿の画像データをプレビューする問合せ画面を操作表示部８に表示する。ユーザーは、問合せ画面を参照して、５枚目と６枚目の原稿の重送を確認し、問合せ画面を介して（操作表示部８を操作して）、重送判定の承認のユーザー判断を入力する。重送判定部５２は、入力されたユーザー判断を、５枚目と６枚目の重なり原稿に関連付けて記憶部５１に記憶し、例えば、５枚目と６枚目の重なり原稿の重なり原稿情報として記憶する。
【００７９】
次に、重送判定部５２は、重なり原稿の再開動作へ移行し、記憶部５１に記憶されたユーザー判断を取得する。重送判定部５２は、先ず、２枚目と３枚目の重なり原稿に関連するユーザー判断に応じて、２枚目と３枚目の重なり原稿の供給トレイ３０への載置を、問合せ画面を介して指示する。ユーザーが供給トレイ３０に重なり原稿を載置し、操作表示部８を操作して重なり原稿の再開動作を指示すると、重なり原稿の搬送及び画像読取が行われ、２枚目と３枚目の原稿の画像データがそれぞれ生成される。
【００８０】
重送判定部５２は、図１１に示すように、再開動作で生成された２枚目の原稿の画像データと３枚目の原稿の画像データを、記憶部５１における２番目の画像データに換えて（１番目と３番目の画像データの間に）差し込む。これにより、図１２に示すように、記憶部５１において、２枚目の原稿の画像データは２番目に記憶され、３枚目の原稿の画像データは３番目に記憶される。また、重送判定部５２は、通常動作で３番目以降に記憶されていた画像データを、それぞれ４番目以降に順次ずれて記憶し直す。即ち、通常動作で３番目に記憶されていた４枚目の原稿の画像データは４番目に記憶し直され、通常動作で４番目に記憶されていた５枚目と６枚目の重なり原稿の画像データは５番目に記憶し直される。
【００８１】
重送判定部５２は、次に、５枚目と６枚目の重なり原稿に関連するユーザー判断に応じて、５枚目と６枚目の重なり原稿の供給トレイ３０への載置を、問合せ画面を介して指示する。ユーザーが供給トレイ３０に重なり原稿を載置し、操作表示部８を操作して重なり原稿の再開動作を指示すると、重なり原稿の搬送及び画像読取が行われ、５枚目の原稿の画像データと６枚目の原稿の画像データが生成される。
【００８２】
重送判定部５２は、図１１に示すように、再開動作で生成された５枚目の原稿の画像データと６枚目の原稿の画像データを、記憶部５１における５番目の画像データに換えて（４番目の画像データの後に）差し込む。これにより、図１２に示すように、記憶部５１において、５枚目の原稿の画像データは５番目に記憶され、６枚目の原稿の画像データは６番目に記憶される。
【００８３】
上記の実施形態の原稿読取装置５では、再開動作において原稿が重送されることなく画像読取が成功する例を説明したが、他の実施形態の原稿読取装置５は、再開動作においても原稿の重なりを検知した場合にユーザー判断を入力し、再度、再開動作を行うように構成してもよい。
【００８４】
なお、上記の実施形態では、複合機１に備わる制御部５０が原稿読取装置５のスキャン動作を制御する例を説明したが、本発明はこれに限定されず、例えば、更なる実施形態では、原稿読取装置５に備わる他の制御装置がスキャン動作を制御するように構成してもよい。
【００８５】
また、上記の実施形態では、複合機１に備わる操作表示部にユーザーへの問合せ画面を表示する例を説明したが、本発明はこれに限定されず、例えば、更なる実施形態では、原稿読取装置５に備わる他の表示装置に問合せ画面を表示するように構成してもよい。
【００８６】
なお、本実施形態では、画像データファイルの生成前に各原稿の画像データについて重送の確認、再開動作及び画像データの差し換えを行うので、スキャン動作の集約設定によって、複数枚の原稿の画像データを１ページ分の画像データとして画像データファイルを生成する場合にも、本実施形態を適用することができる。
【００８７】
上記実施形態では、原稿読取装置５やこの原稿読取装置５を備える複合機１に本発明の構成を適用する場合について説明したが、他の異なる実施形態では、原稿読取装置５を備える他の画像形成装置（プリンター、複写機、ファクシミリ等）に本発明の構成を適用してもよい。
【符号の説明】
【００８８】
１  複合機（画像形成装置）
５  原稿読取装置
６  画像読取部
７  原稿搬送部
８  操作表示部
１１  画像形成部
３２  搬送機構
３６  搬送路
４０  原稿検知部
４１  重なり検知部
５０  制御部
５２  重送判定部
【図１】
2020108095.tif 000003
【図２】
2020108095.tif 000004
【図３】
2020108095.tif 000005
【図４】
2020108095.tif 000006
【図５】
2020108095.tif 000007
【図６】
2020108095.tif 000008
【図７】
2020108095.tif 000009
【図８】
2020108095.tif 000010
【図９】
2020108095.tif 000011
【図１０】
2020108095.tif 000012
【図１１】
2020108095.tif 000013
【図１２】
2020108095.tif 000014
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
スキャン動作において原稿を読み取って画像データを取得する画像読取部と、
前記スキャン動作において前記画像読取部へ前記原稿を搬送する原稿搬送部と、
ユーザーの操作を受け付ける操作部と、
前記画像読取部へ搬送される前記原稿の重なりを検知する重なり検知部と、
複数の前記原稿の前記スキャン動作において、通常動作として、複数の前記原稿について、前記原稿搬送部が搬送すると共に、前記画像読取部が前記画像データを取得するように制御し、
前記通常動作の間に、前記重なり検知部によって重なりのある前記原稿が重なり原稿として検知された場合、前記通常動作の終了後、前記重なり原稿が重送か否かのユーザー判断を前記操作部の操作に応じて入力し、
前記重なり原稿が重送でないとの前記ユーザー判断が入力された場合、前記重なり原稿について前記通常動作で取得した前記画像データをそのまま適用し、
前記重なり原稿が重送であるとの前記ユーザー判断が入力された場合、再開動作として、前記重なり原稿に対応する２枚以上の原稿について、再度、前記原稿搬送部が搬送すると共に、前記画像読取部が前記画像データを取得するように制御し、前記重なり原稿について前記通常動作で取得した前記画像データに換えて、前記再開動作で取得した前記画像データを適用する制御部と、を備えることを特徴とする原稿読取装置。
【請求項２】
前記制御部は、前記通常動作の間に前記重なり原稿が２回以上検知された場合、２回以上検知された前記重なり原稿のそれぞれについて、前記ユーザー判断の入力及び前記再開動作を一連の動作として行うように制御することを特徴とする請求項１に記載の原稿読取装置。
【請求項３】
前記制御部は、前記通常動作の間に前記重なり原稿が２回以上検知された場合、２回以上検知された前記重なり原稿のそれぞれについて前記ユーザー判断の入力を行った後、２回以上検知された前記重なり原稿のそれぞれについて前記再開動作を行うように制御することを特徴とする請求項１に記載の原稿読取装置。
【請求項４】
画像を形成する画像形成部と、
請求項１〜３の何れか１項に記載の原稿読取装置と、
を備えることを特徴とする画像形成装置。
【手続補正２】
【補正対象書類名】明細書
【補正対象項目名】０００８
【補正方法】変更
【補正の内容】
【０００８】
上記した目的を達成するため、本発明の原稿読取装置は、スキャン動作において原稿を読み取って画像データを取得する画像読取部と、前記スキャン動作において前記画像読取部へ前記原稿を搬送する原稿搬送部と、ユーザーの操作を受け付ける操作部と、前記画像読取部へ搬送される前記原稿の重なりを検知する重なり検知部と、複数の前記原稿の前記スキャン動作において、通常動作として、複数の前記原稿について、前記原稿搬送部が搬送すると共に、前記画像読取部が前記画像データを取得するように制御し、前記通常動作の間に、前記重なり検知部によって重なりのある前記原稿が重なり原稿として検知された場合、前記通常動作の終了後、前記重なり原稿が重送か否かのユーザー判断を前記操作部の操作に応じて入力し、前記重なり原稿が重送でないとの前記ユーザー判断が入力された場合、前記重なり原稿について前記通常動作で取得した前記画像データをそのまま適用し、前記重なり原稿が重送であるとの前記ユーザー判断が入力された場合、再開動作として、前記重なり原稿に対応する２枚以上の原稿について、再度、前記原稿搬送部が搬送すると共に、前記画像読取部が前記画像データを取得するように制御し、前記重なり原稿について前記通常動作で取得した前記画像データに換えて、前記再開動作で取得した前記画像データを適用する制御部と、を備えることを特徴とする。
【手続補正３】
【補正対象書類名】明細書
【補正対象項目名】０００９
【補正方法】変更
【補正の内容】
【０００９】
上記の原稿読取装置において、前記制御部は、前記通常動作の間に前記重なり原稿が２回以上検知された場合、２回以上検知された前記重なり原稿のそれぞれについて、前記ユーザー判断の入力及び前記再開動作を一連の動作として行うように制御するとよい。
【手続補正４】
【補正対象書類名】明細書
【補正対象項目名】００１０
【補正方法】変更
【補正の内容】
【００１０】
また、上記の原稿読取装置において、前記制御部は、前記通常動作の間に前記重なり原稿が２回以上検知された場合、２回以上検知された前記重なり原稿のそれぞれについて前記ユーザー判断の入力を行った後、２回以上検知された前記重なり原稿のそれぞれについて前記再開動作を行うように制御してもよい。
【手続補正５】
【補正対象書類名】明細書
【補正対象項目名】００２６
【補正方法】変更
【補正の内容】
【００２６】
また、画像読取部６において、原稿搬送部７から搬送される原稿の画像を読み取る場合には、光学走査ユニット２２は、読取スリット２１に対応する位置を読取位置として固定して原稿から画像を読み取る。このとき、光学走査ユニット２２は、読取スリット２１上の原稿に向かって、光源２６によって光を照射し、原稿からの反射光を反射ユニット２３及び集光レンズ２４を介して撮像部２５に入射させる。撮像部２５は、原稿からの反射光に基づく光電変換を行うことで原稿の画像を撮像する。そして、画像読取部６は、読取スリット２１上を通過する原稿を先端から終端まで走査（スキャン）することで画像データを生成する。
【手続補正６】
【補正対象書類名】明細書
【補正対象項目名】００３５
【補正方法】変更
【補正の内容】
【００３５】
原稿検知部４０は、原稿搬送部７が原稿の搬送を開始した後、原稿の検知を開始し、原稿の先端から終端までを検知する。例えば、原稿検知部４０は、搬送路３６の搬送方向において読取スリット２１に対応する読取位置より上流側に配置されて、この読取位置に進入する原稿の先端を検知することで、読取位置への原稿の進入タイミング、即ち、読取開始タイミングを取得する。また、原稿検知部４０は、搬送路３６の搬送方向において読取スリット２１に対応する読取位置より下流側に配置されて、この読取位置から退出する原稿の終端を検知することで、読取位置からの原稿の退出タイミング、即ち、読取終了タイミングを取得する。
【手続補正７】
【補正対象書類名】明細書
【補正対象項目名】００３７
【補正方法】変更
【補正の内容】
【００３７】
重なり検知部４１は、搬送方向において所定の検知位置で原稿の重なりを検知するように配置され、例えば、その検知位置が、読取位置より上流側の原稿検知部４０の検知位置と同じになるように設けられる。そして、重なり検知部４１は、原稿搬送部７が原稿の搬送を開始した後、この原稿検知部４０が原稿の先端を検知してから終端を検知するまで、原稿の重なりの検知を行う。
【手続補正８】
【補正対象書類名】明細書
【補正対象項目名】００４３
【補正方法】変更
【補正の内容】
【００４３】
次に、重送判定部５２について説明する。重送判定部５２は、重なり検知部４１の検知位置における原稿の通過を、読取位置より上流側の原稿検知部４０の検知信号に基づいて把握する。重送判定部５２は、原稿の先端が重なり検知部４１の検知位置を通過してからの経過時間を計測し、この経過時間に基づいて、搬送方向（長さ方向）において原稿の先端から検知位置までの距離を算出し、即ち、原稿上で重なり検知部４１の検知位置に対応する位置情報を算出する。
【手続補正９】
【補正対象書類名】明細書
【補正対象項目名】００４４
【補正方法】変更
【補正の内容】
【００４４】
また、重送判定部５２は、原稿の搬送が開始したら（図４のステップＳ１）、重なり検知部４１の検知信号に基づいて原稿の重なりを把握し、重なりが検知された場合（図４のステップＳ２：ＹＥＳ）、その重なりのある原稿（重なり原稿）の重なり原稿情報を記憶部５１に記憶する（図４のステップＳ３）。なお、１回のジョブ（通常動作）において、重なり原稿が２回以上検知された場合には、それぞれの重なり原稿毎に重なり原稿情報が記憶部５１に記憶される。
【手続補正１０】
【補正対象書類名】明細書
【補正対象項目名】００５４
【補正方法】変更
【補正の内容】
【００５４】
本実施形態によれば、上述のように、原稿読取装置５は、スキャン動作において原稿を読み取って画像データを取得する画像読取部６と、スキャン動作において画像読取部６へ原稿を搬送する原稿搬送部７と、ユーザーの操作を受け付ける操作表示部８（操作部）と、画像読取部６へ搬送される原稿の重なりを検知する重なり検知部４１と、重送判定部５２（制御部５０）とを備える。制御部５０は、複数の原稿のスキャン動作において、通常動作として、複数の原稿について、原稿搬送部７が搬送すると共に、画像読取部６が画像データを取得するように制御する。また、制御部５０は、通常動作の間に、重なり検知部４１によって重なりのある原稿が重なり原稿として検知された場合、通常動作の終了後、重なり原稿が重送か否かのユーザー判断を操作表示部８の操作に応じて入力する。そして、制御部５０は、重なり原稿が重送でないとのユーザー判断が入力された場合、重なり原稿について通常動作で取得した画像データをそのまま適用する。一方、制御部５０は、重なり原稿が重送であるとのユーザー判断が入力された場合、再開動作として、重なり原稿に対応する２枚以上の原稿について、再度、原稿搬送部７が搬送すると共に、画像読取部６が画像データを取得するように制御し、重なり原稿について通常動作で取得した画像データに換えて、再開動作で取得した画像データを適用する。
【手続補正１１】
【補正対象書類名】明細書
【補正対象項目名】００５６
【補正方法】変更
【補正の内容】
【００５６】
また、本実施形態によれば、原稿読取装置５において、制御部５０は、通常動作の間に重なり原稿が２回以上検知された場合、２回以上検知された重なり原稿のそれぞれについて、ユーザー判断の入力及び再開動作を一連の動作として行うように制御する。
【手続補正１２】
【補正対象書類名】明細書
【補正対象項目名】００６９
【補正方法】変更
【補正の内容】
【００６９】
なお、上記した実施形態では、原稿読取装置５が、重なり原稿毎に、ユーザー判断の入力及び再開動作を一連の動作として行う例を説明したが、本発明はこの例に限定されない。例えば、他の実施形態では、原稿読取装置５において、制御部５０は、通常動作の間に重なり原稿が２回以上検知された場合、重なり原稿毎にユーザー判断の入力及び再開動作を一連の動作として行う代わりに、２回以上検知された重なり原稿のそれぞれについてユーザー判断の入力を行った後、２回以上検知された重なり原稿のそれぞれについて再開動作を行うように制御する。